(57)【要約】      （修正有）【課題】釣り用孔の湖面下の氷に根掛りした釣針を容易に外すための針外し具を提供する。【解決手段】針外し具は、氷上における釣り用孔４０の曲率と同程度の湾曲形状をなし、かつ湾曲形状の下端縁を針外し部とするプレート２０と、プレートの上部に、湾曲形状がなす周方向とほぼ直交するように固定したシャフト１１と、を備える。プレートにおける湾曲方向の外側面が、シャフトの外周面の延長線上に対して内側に位置している。また、プレートとシャフトは、固定具１４で固定すると共に、固定具の先端もシャフトの外周面の延長線上に対して内側に位置するように形成する。【選択図】図４
0003195497.tif 000002
【実用新案登録請求の範囲】
【請求項１】
氷上における釣り用孔の曲率に合わせた変形が可能な弾性部材にて形成したプレートと、
そのプレートにおける上部に、当該プレートの長手方向とほぼ直交するように固定したシャフトと、を備え、
前記のプレートの下端縁には、氷へ根掛りした釣り針と当接する針外し部として形成した針外し具。
【請求項２】
前記のプレートは、氷上における釣り用孔の曲率と同程度の湾曲形状をなすように予め形成した請求項１に記載の針外し具。
【請求項３】
前記のプレートは、その湾曲方向の外側面が、前記のシャフトにおける外周面の延長線上に対して内側へ位置させた請求項１または請求項２のいずれかに記載の針外し具。
【請求項４】
前記のプレートと前記のシャフトは、固定具で固定するとともに、
前記のプレートは、その湾曲方向の外側面が、前記のシャフトにおける外周面の延長線上に対して内側へ位置させた請求項１から請求項３のいずれかに記載の針外し具。
【請求項５】
前記の針外し部は、釣り糸をガイドするための少なくとも１つの凹部を形成した請求項１から請求項４に記載の針外し具。
【考案の詳細な説明】
【技術分野】
【０００１】
本考案は、氷上におけるワカサギ釣りなどの魚釣りで、釣り用孔の湖面下の氷に根掛りした釣針を外すための針外し具を提供する技術に関する。
【背景技術】
【０００２】
一般的に、他の魚釣りでは、水面下の石や岩、あるいは藻などの植物や樹木などに根掛りした時に、釣針やルアーを回収するための回収装置や回収方法が開発されている。例えば、特許文献１、特許文献２あるいは特許文献３などがある。
【０００３】
特許文献１では、長い棒状のポール部材の一端に、細長い端縁部材を備えている。端縁部材は、第一分枝と第二分枝に枝分かれし、第一分枝と第二分枝の間に通口を形成している。第一分枝と第二分枝とを突き当てて接触する間に、釣り糸を通口へ入れるための挿入口を形成している。
【０００４】
例えば、釣針が引っかかった場合、釣り糸を挿入口から端縁部材の通口へ導入し、通口にて釣り糸を受け止める。釣り人がポール部材を移動すると、ポール部材の一端の端縁部材が釣り糸に沿って引っかかりの障害物から釣針を押したり、引っ張ったりすることによって、引っかかりから取り外す。
【０００５】
特許文献２では、シャフトの一端にライン固定部材を備えている。ライン固定部材は、約一巻きと１／２巻きしたコイル部材を含んでいる。前記のコイル部材におけるコイルの巻き内へ釣り糸を通すことになる。コイルの巻きの間は、釣り糸をコイルの巻き内へ入れるための差込口を形成している。
【０００６】
例えば、釣り用ルアーが引っかかった場合、釣り糸を差込口からコイルの巻き内へ導入し、コイルの巻き内に釣り糸を受け止める。釣り人がシャフトを移動すると、シャフトの一端のコイル部材が釣り糸に沿って引っかかりの障害物からルアーを引っ張ることによって、引っかかりから取り外す。
【０００７】
特許文献３では、リング状の枠におけるリング孔へ釣り糸を通すことになる。さらに、前記の枠には、重りが付いており、釣り人が枠を移動させるための引糸が取り付けられている。これは、アユの友釣りにおいて川底の石に根掛りした仕掛けを回収するためのものである。
【０００８】
釣鈎が根掛りした場合、前記の枠を釣り竿に通して竿先から釣り糸へ送る。その後、釣竿を上に上げれば、枠が釣り糸を伝わって川底に落ちる。引糸を引くことによって、枠は釣り糸を伝わって移動し、アユの友釣り特有の仕掛けである逆鈎や鼻環に引っ掛かる。引糸を強く引くと、釣り糸が引っ張られて根掛りした釣鈎が外れる。
【先行技術文献】
【特許文献】
【０００９】
【特許文献１】特開昭６１−６１７６４号公報
【特許文献２】特表２００７−５０８０２１号公報
【特許文献３】実開平６−６８４６０号公報
【考案の概要】
【考案が解決しようとする課題】
【００１０】
特許文献１、特許文献２あるいは特許文献３のいずれにおいても、釣り糸を通すための「孔部」を備えた部材と、釣り人が前記の部材を移動させるためのシャフトや引き糸などの部材を備えている。
すなわち、特許文献１では、端縁部材の通口が、釣り糸を通すための「孔部」に該当する。長い棒状のポール部材で端縁部材を移動させて根掛りした釣針を外す。
特許文献２では、コイル部材のコイルの巻き内が、釣り糸を通すための「孔部」に該当する。シャフトにてコイル部材を移動させて根掛りした釣針を外す。
特許文献３では、リング状の枠におけるリング孔が、釣り糸を通すための「孔部」に該当する。引糸を引くことによって枠を移動させて根掛りした釣針を外す。
【００１１】
一方、ワカサギ釣りは、湖面上の氷に、直径が１５０ミリメートルほどの釣り用孔を形成する。そして、氷上の釣り人がその釣り用孔へ釣り糸を垂らし、枝針を備えた仕掛けの釣針にてワカサギを釣り上げるものである。釣り上げる際、枝針仕掛けの釣針が、釣り用孔の氷に引っ掛かることがある。
すなわち、枝針仕掛けの釣針が引っ掛かるのは湖面下の氷である。前述の特許文献１、特許文献２あるいは特許文献３などを使用して、根掛りした釣針を外すには、その都度、所謂「孔部」に釣り糸を通してからシャフトや引糸にて移動させることとなってしまうこととなる。これは手間の掛かる作業である。
具体的には、ワカサギ釣りの仕掛けには複数の枝張りが取り付けられており、根掛してしまった枝張りの位置によっては、針外し具を釣糸によって誘導するための「孔部」が、枝張りを通過する必要がある。この作業が困難であるため、現実にはほとんど使われていない。
【００１２】
本願考案が解決しようとする課題は、氷上におけるワカサギ釣りなどの魚釣りで、釣り用孔の湖面下の氷に根掛りした釣針を容易に外すための針外し具を提供することにある。
【課題を解決するための手段】
【００１３】
（第一の考案）
本願における第一の考案は、  氷上における釣り用孔(40)の曲率に合わせた変形が可能な弾性部材にて形成したプレート(20)と、
そのプレート(20)における上部に、当該プレート(20)の長手方向とほぼ直交するように固定したシャフト(11)と、を備えた針外し具に係る。
前記のプレート(20)の下端縁には、氷へ根掛りした釣り針(31)と当接する針外し部(21)として形成する。
【００１４】
（作用）
枝針仕掛けの釣針(31)が湖面下の氷に引っ掛かった場合、釣り人は、プレート(20)を釣り用孔(40)の曲率に合わせて変形させる。そして、シャフト(11)を持って、釣り糸(32)と釣り用孔(40)の内面との間で、プレート(20)を下方へ移動させる。
氷に引っ掛かった釣針(31)は、プレート(20)の下端の針外し部(21)によって、釣り糸(32)に触れることなく素早く、簡単に外すことができる。
【００１５】
（第一の考案のバリエーション１）
本願における第一の考案は、前記のプレート(20)を、氷上における釣り用孔(40)の曲率と同程度の湾曲形状をなすように予め形成しておいてもよい。
釣り用孔(40)は、専用の孔開け機にて形成するので、釣り場において形成される釣り用孔(40)が同じ孔開け機にて形成されているのであれば、同じ曲率となる。したがって、その曲率に合わせて、プレート(20)を予め形成しておくことは合理的である。
【００１６】
（第一の考案のバリエーション２）
本願における第一の考案は、前記のプレート(20)の湾曲方向の外側面が、前記のシャフト(11)における外周面の延長線上に対して内側に位置させることとしてもよい。
また、シャフト(11)は、長手方向を伸縮自在としたり、継ぎ足し式としたりしてもよい。
【００１７】
（作用）
プレート(20)がシャフト(11)の外周面の延長線上に対して内側に位置しているので、プレート(20)の外側面が釣り用孔(40)の氷壁から離れた状態となる。
シャフト(11)の外周は氷壁との接触面が小さいので、釣り用孔(40)の氷壁に沿ってスムーズに移動する。その結果、プレート(20)が釣り用孔(40)の氷壁の凹凸に邪魔されないように移動することが可能となる。したがって、根掛りを外す作業が行いやすい。
【００１８】
（第一の考案のバリエーション３）
第一の考案は、以下のようなバリエーションを提供することもできる。
すなわち、前記のプレート(20)と前記のシャフト(11)とは、固定具(14)で固定する。そして、プレート(20)は、その湾曲方向の外側面が、シャフト(11)における外周面の延長線上に対して内側へ位置することが好ましい。
固定具(14)の先端がシャフト(11)の外周面の延長線上に対して内側へ位置させることが、より好ましい。
なお、固定具(14)をネジやボルトを用いることで、プレート(20)を交換可能としても良い。
【００１９】
（作用）
プレート(20)がシャフト(11)の外周面の延長線上に対して内側に位置している。そのため、固定具(14)の先端が釣り用孔(40)の氷壁に引掛かからないように、シャフト(11)が釣り用孔(40)の氷壁を滑らせながら下方へ移動させることができる。
【００２０】
（第一の考案のバリエーション４）
第一の考案は、以下のようなバリエーションを提供することもできる。
すなわち、  前記の針外し部(21)は、釣り糸(32)をガイドするための少なくとも１つの凹部(22)を形成することが好ましい。
【００２１】
（作用）
氷に引っ掛かった釣針(31)は、プレート(20)の針外し部(21)における凹部(22)にガイドされるので、確実に氷から外れる。
【考案の効果】
【００２２】
第一の考案によれば、氷上におけるワカサギ釣りなどの魚釣りで、釣り用孔の湖面下の氷に根掛りした釣針を容易に外すための針外し具を提供することができた。
【図面の簡単な説明】
【００２３】
【図１】本考案の実施形態に係る針外し具の正面図である。
【図２】図１の針外し具における下部の側面図である。
【図３】釣り用孔に配置する針外し具の平面図である。
【図４】針外し具による針外しの動作を示す斜視図である。
【図５】図４の側面図である。
【図６】（ａ）〜（ｃ）は、プレートの針外し部の一例を示した正面図である。
【考案を実施するための形態】
【００２４】
以下、本考案の実施形態に係る針外し具について図面を参照して説明する。ここで使用する図面は、図１から図６である。
【００２５】
図１では、わずかに手前に傾けた針外し具１０の正面図である。図２では、針外し具１０の下部におけるプレート２０とシャフト１１との固定状態を側面から視ている。図３では、氷上における釣り用孔に対する針外し具１０の平面形状を示す。
【００２６】
針外し具１０は、図１に示すように、釣り用孔４０の湖面下の氷に根掛りした釣針３１を外すための針外し部２１を備えたプレート２０と、そのプレート２０の上部に固定した長尺のシャフト１１と、を備えている。ステンレス製のパイプにてシャフト１１を、ステンレス製の板材でプレート２０を、それぞれ形成している。
【００２７】
プレート２０は、図２および図３に示すように、氷上における釣り用孔４０の曲率と同程度の湾曲形状をなしている。しかも、前記の湾曲形状の下端縁を針外し部２１としている。釣り用孔４０は、直径１５０ｍｍが標準となることから、本実施形態では、プレート２０の曲率半径を約７５ｍｍとしている。釣り用孔４０の曲率半径よりは、若干小さ目の湾曲形状とするのが、使い勝手の面で好ましいようである。
【００２８】
シャフト１１は、本実施形態では、直径１０ｍｍで、長さが１,０００ｍｍである。しかし、材質、直径や長さ等の形状は、特に限定されない。シャフト１１の下端側は、プレート２０と連結するための連結部１２を形成している。連結部１２は、本実施形態では、上記のパイプを加圧して平板状に形成している。つまり、平板状の連結部１２は、図２および図３に示すように、シャフト１１の外周円の中心を若干外れる線上で平板としている。連結するプレート２０がシャフト１１の外周円の中心を通る線上に位置させるためである。
シャフト１１の上端側は、図１に示すように、シャフト１１の外周にゴム製のグリップ１３を嵌め込んでいる。グリップ１３の長さは、本実施形態では、約１３０ｍｍほどであるが、その寸法や材質等は特に限定されない。
【００２９】
なお、ゴム製のグリップ１３またはシャフト１１に対して、紐を通せるような貫通孔を備え、その貫通孔へ通した紐を輪状としておくと、より好ましい。その輪状の紐を手首に通せば、針外し具１０が水中へ落下してしまうことを防ぐために有効だからである。
【００３０】
シャフト１１は、図１および図２に示すように、プレート２０における湾曲形状がなす周方向のほぼ中央位置の上部へ、前記の湾曲形状がなす周方向とほぼ直交するように連結部１２を重ね合わせて、例えば２本のリベットなどの固定具１４にて固定している。このとき、連結するプレート２０が、図３に示すように、シャフト１１の外周円の中心を通る線上に位置する。
したがって、図２に示すように、プレート２０における湾曲形状がなす周方向の外側面が、シャフト１１の外周面の延長線上に対して内側に位置している。
さらに、固定具１４であるリベットは、その先端がシャフト１１の外周面の延長線上に対して内側に位置している。
【００３１】
次に、本実施形態の針外し具１０における作用を説明する。
ワカサギ釣りは、湖面上の氷に形成した釣り用孔４０から釣り糸３２を垂らしてワカサギを釣り上げる。その際、枝針仕掛けの釣針３１が湖面下の氷に引っ掛かった場合、釣り人は、シャフト１１のグリップ１３を持って、図４に示すように、針外し具１０のプレート２０を釣り糸３２と釣り用孔４０の内面（氷壁）との間に位置させる。次いで、シャフト１１、すなわちプレート２０を下方へ移動する。
【００３２】
この時、釣り用孔４０の氷壁に凹凸があっても、シャフト１１の外周面が釣り用孔４０の氷壁に沿ってスムーズに移動する。その理由は、図３に示すように、プレート２０が釣り用孔４０の曲率と同程度の湾曲形状をなしているので、プレート２０が釣り用孔４０の氷壁にぶつからずに移動する。さらに、図５に示すように、プレート２０がシャフト１１の外周面の延長線上に対して内側に位置しているので、プレート２０の外側面が釣り用孔４０の氷壁から離れた状態となる。しかも、シャフト１１の外周は氷壁との接触面が小さいので、釣り用孔４０の氷壁に沿ってスムーズに移動する。その結果、プレート２０を釣り用孔４０の氷壁の凹凸に邪魔されないように移動することができる。
【００３３】
また、固定具１４の先端がシャフト１１の外周面の延長線上に対して内側に位置しているので、固定具１４の先端が釣り用孔４０の氷壁に引掛かからないように、シャフト１１が釣り用孔４０の氷壁を滑らせながら下方へ移動することができる。
【００３４】
氷に引っ掛かった釣針３１は、図５に示すように、プレート２０の下端の針外し部２１によって、釣り糸３２（ライン）に触れることなく素早く、しかも簡単に外れる。
【００３５】
プレート２０は、図６（ａ）〜図６（ｃ）に示すように、針外し部２１において釣り糸３２をガイドするための少なくとも１つの凹部２２を形成することが望ましい。
例えば、図６（ａ）では、針外し部２１が、水平面に対して、プレート２０の湾曲形状がなす周方向のほぼ中央位置に向けて凹む方向に傾斜面を有する一つの凹部２２ａを形成している。
【００３６】
図６（ｂ）では、針外し部２１が、水平面に対して、プレート２０の湾曲方向のほぼ中央位置に一つの凹部２２ｂを形成している。
図６（ｃ）では、針外し部２１が、水平面に対して複数の凹部２２ｃ，２２ｃ，・・・を形成している。
したがって、氷に引っ掛かった釣針３１は、プレート２０の針外し部２１における凹部２２（２２ａ，２２ｂまたは２２ｃ）にガイドされるので、確実に氷から外れる。
【００３７】
プレート２０やシャフト１１は、ステンレスなどのように適度な重量を備えた材質にて製作することで、水中へ沈むので根掛り外しの操作を実施し易い。また、ステンレスなどのように変形し難い材質にて製作することで、根掛り外しの操作を実施し易い。
グリップ１３は、ゴム製とすることで、厳寒期での使用であっても冷たさを感じさせない効果がある。
シャフト１１は、ネジなどで連結可能に分割することで、コンパクトに収納することができる。あるいは、延伸したり収縮したりできる構造とすることで、コンパクトに収納することができる。
【産業上の利用可能性】
【００３８】
本考案は、釣り具の製造業、販売業またはレンタル業、アウトドアスポーツのインストラクター事業などにおいて、利用可能性を有する。
【符号の説明】
【００３９】
１０；  針外し具                １１；  シャフト
１２；  連結部                        １３；  グリップ
１４；  固定具
２０；  プレート                      ２１；  針外し部
２２，２２ａ，２２ｂ，２２ｃ；  凹部
３１；  釣針                          ３２；  釣り糸（ライン）
４０；  釣り用孔
【図１】
0003195497.tif 000003
【図２】
0003195497.tif 000004
【図３】
0003195497.tif 000005
【図４】
0003195497.tif 000006
【図５】
0003195497.tif 000007
【図６】
0003195497.tif 000008